(57)【要約】      （修正有）【課題】ズーム全域での諸収差が良好に補正されており、かつ、高い近接撮影能力を備えたズームレンズ系とそれを備える撮像装置およびカメラシステムと、を提供する。【解決手段】ズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、パワーを有する第５レンズ群Ｇ５と、を備える。ズーミングに際して、各レンズ群の間隔が変化し、第５レンズ群Ｇ５は物体側に移動する。そして条件（１）０．１２＜Ｔ３５ｔ／ＴＬｔ＜０．２５を満足する。ここで、Ｔ３５ｔ：望遠端における第３レンズ群Ｇ３の最も像側の面から第５レンズ群Ｇ５の最も物体側の面までの距離、ＴＬｔ：望遠端における第１レンズ群Ｇ１の最も物体側の面から像面Ｓまでの距離、である。【選択図】図１
2020118738.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
パワーを有する第５レンズ群と、
を備え、
ズーミングに際して、各レンズ群の間隔が変化し、前記第５レンズ群は物体側に移動し、
下記の条件（１）を満足し、
０．１２  ＜  Ｔ３５ｔ  ／  ＴＬｔ  ＜  ０．２５・・・（１）
ここで、
Ｔ３５ｔ：望遠端における前記第３レンズ群の最も像側の面から前記第５レンズ群の最も物体側の面までの距離、
ＴＬｔ：望遠端における、前記第１レンズ群の最も物体側の面から像面までの距離、
である、
ズームレンズ系。
【請求項２】
下記の条件（２）を満足し、
０．０５  ＜  Ｔ３５ｗ  ／  ＴＬｗ  ＜  ０．２・・・（２）
ここで、
Ｔ３５ｗ：広角端における前記第３レンズ群の最も像側の面から前記第５レンズ群の最も物体側の面までの距離、
ＴＬｗ：広角端における、前記第１レンズ群の最も物体側の面から像面までの距離、
である、
請求項１に記載のズームレンズ系。
【請求項３】
前記第５レンズ群を構成するレンズ素子のうち、最も物体側のレンズ素子ＬＧ５Ｆは、負のパワーを有し、
下記の条件（３）を満足し、
ｖｄＬＧ５Ｆ  ＞  ６５  ・・・（３）
ここで、
ｖｄＬＧ５Ｆ：前記レンズ素子ＬＧ５Ｆのアッベ数、
である、
請求項１に記載のズームレンズ系。
【請求項４】
下記の条件（４）を満足し、
０．３  ＜  ｜ｆ４｜  ／  ｆｔ  ＜  ０．７  ・・・（４）
ここで、
ｆ４：前記第４レンズ群の焦点距離、
ｆｔ  ：望遠端におけるズームレンズ系全体の焦点距離、
である、
請求項１に記載のズームレンズ系。
【請求項５】
前記第３レンズ群を構成するレンズ素子のうち、
アッベ数が６５より大きいレンズ素子が少なくとも３枚以上である、
請求項１に記載のズームレンズ系。
【請求項６】
下記の条件（５）を満足し、
０．０５  ＜  ｜ｄＦ｜  ／  ｆｔ  ＜  ０．３  ・・・（５）
ここで、
ｆｔ  ：望遠端におけるズームレンズ系全体の焦点距離、
ｄＦ  ：望遠端での無限遠合焦状態から最近接合焦状態へのフォーカシングにおける、フォーカスレンズ群の移動量
である、
請求項１に記載のズームレンズ系。
【請求項７】
請求項１から請求項６のいずれか１項に記載のズームレンズ系を含む交換レンズ装置と、
前記交換レンズ装置とカメラマウント部を介して着脱自在に接続され、前記ズームレンズ系が形成する光学的な像を受光して電気的な画像信号に変換する撮像素子を含むカメラ本体と、を備え、
前記交換レンズ装置は、前記光学的な像を前記撮像素子に形成する、
カメラシステム。
【請求項８】
物体の光学的な像を電気的な画像信号に変換し、変換された前記画像信号の表示および記憶の少なくとも一方を行う撮像装置であって、
前記物体の光学的な像を形成する請求項１から請求項６のいずれか１項に記載のズームレンズ系と、
前記ズームレンズ系により形成された前記光学的な像を、前記電気的な画像信号に変換する撮像素子と、を備える、
撮像装置。
【発明の詳細な説明】
【技術分野】
【０００１】
本開示は、ズーム全域での諸収差が良好に補正されており、かつ、高い近接撮影能力を備えたズームレンズ系とそれを備える撮像装置およびカメラシステムに関する。
【背景技術】
【０００２】
特許文献１は、物体側より像側へ順に、正の屈折力を有する第１レンズ群と、負の屈折力を有する第２レンズ群と、正の屈折力を有する第３レンズ群と、負の屈折力を有する第４レンズ群と、負の屈折力を有する第５レンズ群とから構成されるズームレンズを開示する。このズームレンズは、ズーム全域に渡って開放Ｆ値が４．１０程度である。
【先行技術文献】
【特許文献】
【０００３】
【特許文献１】特開２０１５−６４４９２号公報
【発明の概要】
【発明が解決しようとする課題】
【０００４】
本開示は、ズーム全域での諸収差が良好に補正されており、かつ、高い近接撮影能力を備えたズームレンズ系とそれを備える撮像装置およびカメラシステムと、を提供することを目的とする。
【課題を解決するための手段】
【０００５】
本開示におけるズームレンズ系は、物体側から像側へと順に、正のパワーを有する第１レンズ群と、負のパワーを有する第２レンズ群と、正のパワーを有する第３レンズ群と、負のパワーを有する第４レンズ群と、パワーを有する第５レンズ群と、を備える。ズーミングに際して、各レンズ群の間隔が変化し、第５レンズ群は物体側に移動する。そして、下記の条件（１）を満足し、
０．１２  ＜  Ｔ３５ｔ  ／  ＴＬｔ  ＜  ０．２５・・・（１）
ここで、
Ｔ３５ｔ：望遠端における第３レンズ群の最も像側の面から第５レンズ群の最も物体側の面までの距離、
ＴＬｔ：望遠端における、第１レンズ群の最も物体側の面から像面までの距離、である。
【発明の効果】
【０００６】
本開示によれば、ズーム全域での諸収差が良好に補正されており、高い近接撮影能力を備えたズームレンズ系とそれを備える撮像装置およびカメラシステムを提供できる。
【図面の簡単な説明】
【０００７】
【図１】実施の形態１に係るズームレンズ系の無限遠合焦状態を示すレンズ配置図
【図２】同実施の形態の数値実施例１に係るズームレンズ系の無限遠合焦状態の縦収差図
【図３Ａ】同数値実施例に係るズームレンズ系の広角端における、像ぶれ補正を行っていない基本状態および像ぶれ補正状態での横収差図
【図３Ｂ】同数値実施例に係るズームレンズ系の中間位置における、像ぶれ補正を行っていない基本状態および像ぶれ補正状態での横収差図である。
【図３Ｃ】同数値実施例に係るズームレンズ系の望遠端における、像ぶれ補正を行っていない基本状態および像ぶれ補正状態での横収差図である。
【図４】実施の形態２に係るズームレンズ系の無限遠合焦状態を示すレンズ配置図
【図５】同実施の形態の数値実施例２に係るズームレンズ系の無限遠合焦状態の縦収差図
【図６Ａ】同数値実施例に係るズームレンズ系の広角端における、像ぶれ補正を行っていない基本状態および像ぶれ補正状態での横収差図
【図６Ｂ】同数値実施例に係るズームレンズ系の中間位置における、像ぶれ補正を行っていない基本状態および像ぶれ補正状態での横収差図
【図６Ｃ】同数値実施例に係るズームレンズ系の望遠端における、像ぶれ補正を行っていない基本状態および像ぶれ補正状態での横収差図
【図７】実施の形態３に係るズームレンズ系の無限遠合焦状態を示すレンズ配置図
【図８】同実施の形態の数値実施例３に係るズームレンズ系の無限遠合焦状態の縦収差図
【図９Ａ】同数値実施例に係るズームレンズ系の広角端における、像ぶれ補正を行っていない基本状態および像ぶれ補正状態での横収差図である。
【図９Ｂ】同数値実施例に係るズームレンズ系の中間位置における、像ぶれ補正を行っていない基本状態および像ぶれ補正状態での横収差図
【図９Ｃ】同数値実施例に係るズームレンズ系の望遠端における、像ぶれ補正を行っていない基本状態および像ぶれ補正状態での横収差図
【図１０】実施の形態１のズームレンズ系を備えるカメラシステムの概略構成図
【図１１】実施の形態１のズームレンズ系を備える鏡筒の概略構成図
【発明を実施するための形態】
【０００８】
以下、図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより請求の範囲に記載の主題を限定することは意図されていない。
【００１０】
（実施の形態１〜３）
以下に、実施の形態１から実施の形態３に係るズームレンズ系について、図面を用いて、個別に説明する。
【００１１】
なお、各実施の形態のズームレンズ系は、第１レンズ群Ｇ１、第２レンズ群Ｇ２、第３レンズ群Ｇ３、および後続レンズ群を構成する第４レンズ群Ｇ４、第５レンズ群Ｇ５などを備える。
【００１２】
図１、図４、図７は、無限遠合焦状態にあるズームレンズ系を示すレンズ配置図である。
【００１３】
図１、図４、図７の（ａ）は、広角端（最短焦点距離状態：焦点距離ｆＷ）におけるレンズ配置図を示す。各図の（ｄ）は、中間位置（中間焦点距離状態：焦点距離ｆＭ＝√（ｆＷ＊ｆＴ））におけるレンズ配置図を示す。各図の（ｅ）は、望遠端（最長焦点距離状態：焦点距離ｆＴ）におけるレンズ配置図を示す。なお、各図の（ａ）、（ｄ）、（ｅ）において、縦横比は一致している。
【００１４】
また、各図の（ｃ）に示す折れ線の矢印は、上から順に、広角端（Ｗｉｄｅ）、中間位置（Ｍｉｄ）、望遠端（Ｔｅｌｅ）の各状態におけるレンズ群の位置を結んで示している。なお、矢印は、広角端と中間位置との間、中間位置と望遠端との間を、単純に線で接続しているだけで、実際の各レンズ群の動きを示しているものではない。
【００１５】
また、各図の（ｂ）では、（ａ）に示す各レンズ群の位置に対応して各レンズ群に、Ｇ１からＧ６の符号を記している。
【００１６】
各図の（ａ）に示す、特定のレンズ素子の面に付されたアスタリスク＊は、その面が非球面であることを示している。
【００１７】
また、各図の（ｂ）に示す各レンズ群（Ｇ１からＧ６）の符号に付された記号（＋）および記号（−）は、各レンズ群のパワーに対応する。つまり、記号（＋）は正のパワー、記号（−）は負のパワーを示す。なお、実施の形態１から３における第４レンズ群Ｇ４に示すレンズ群に付された矢印は、無限遠合焦状態から近接合焦状態へのフォーカシング時の、当該レンズ群の移動方向を、便宜的に示している。具体的に移動するレンズ素子、およびレンズ群とその移動方向については、実施の形態ごとに、後で具体的に説明する。
【００１８】
各図の（ａ）、（ｄ）、（ｅ）において、最も右側に記載された直線は、像面Ｓ（撮像素子の物体側の面）の位置を示す。そのため、図面の左側は、物体側に相当する。さらに、像面Ｓと対向する最後段のレンズ群と、像面Ｓとの間には、例えばローパスフィルターやカバーガラスなどの平行平板Ｐが配置される。
【００１９】
（実施の形態１）
以下に、実施の形態１に係るズームレンズ系について、図１を用いて、説明する。
【００２０】
図１は、実施の形態１に係るズームレンズ系のレンズ配置図およびその動作を示している。
【００２１】
図１に示すように、本実施の形態のズームレンズ系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板Ｐなどで構成される。
【００２２】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００２３】
第２レンズ群Ｇ２は、物体側から像側へと順に、負のパワーを有する第４レンズ素子Ｌ４と、負のパワーを有する第５レンズ素子Ｌ５と、正のパワーを有する第６レンズ素子Ｌ６と、負のパワーを有する第７レンズ素子Ｌ７と、で構成される。
【００２４】
第３レンズ群Ｇ３は、物体側から像側へと順に、正のパワーを有する第８レンズ素子Ｌ８と、負のパワーを有する第９レンズ素子Ｌ９と、正のパワーを有する第１０レンズ素子Ｌ１０と、負のパワーを有する第１１レンズ素子Ｌ１１と、正のパワーを有する第１２レンズ素子Ｌ１２と、正のパワーを有する第１３レンズ素子Ｌ１３で構成される。第９レンズ素子Ｌ９と第１０レンズ素子Ｌ１０は、例えば紫外線硬化型樹脂などの接着剤で接着される接合レンズを構成する。第１１レンズ素子Ｌ１１と第１２レンズ素子Ｌ１２は、例えば紫外線硬化型樹脂などの接着剤で接着される接合レンズを構成する。
【００２５】
第４レンズ群Ｇ４は、負のパワーを有する第１４レンズ素子Ｌ１４で構成される。
【００２６】
第５レンズ群Ｇ５は、負のパワーを有する第１５レンズ素子Ｌ１５と、正のパワーを有する第１６レンズ素子Ｌ１６で構成される。なお、第１５レンズ素子Ｌ１５は、レンズ素子ＬＧ５Ｆで例示される。
【００２７】
開口絞りＡは、第２レンズ群Ｇ２の第７レンズ素子Ｌ７と、第３レンズ群Ｇ３の第８レンズ素子Ｌ８との間に配置される。
【００２８】
以下に、本実施の形態のズームレンズ系の各レンズ群を構成するレンズ素子について、説明する。
【００２９】
まず、第１レンズ群Ｇ１内における各レンズ素子について、説明する。
【００３０】
第１レンズ素子Ｌ１は、物体側に凸面を有するメニスカスレンズである。第２レンズ素子Ｌ２は、両凸レンズである。第３レンズ素子Ｌ３は、物体側に凸面を有するメニスカスレンズである。
【００３１】
つぎに、第２レンズ群Ｇ２内における各レンズ素子について、説明する。
【００３２】
第４レンズ素子Ｌ４は、物体側に凸面を有するメニスカスレンズである。第５レンズ素子Ｌ５は、像側に凸面を有するメニスカスレンズである。第５レンズ素子Ｌ５の両面は、非球面である。第６レンズ素子Ｌ６は、両凸レンズである。第７レンズ素子Ｌ７は、像側に凸面を有するメニスカスレンズである。
【００３３】
つぎに、第３レンズ群Ｇ３内における各レンズ素子について、説明する。
【００３４】
第８レンズ素子Ｌ８は、物体側に凸面を有するメニスカスレンズである。第８レンズ素子Ｌ８の両面は、非球面である。第９レンズ素子Ｌ９は、物体側に凸面を有するメニスカスレンズである。第１０レンズ素子Ｌ１０は、物体側に凸面を有するメニスカスレンズである。第１１レンズ素子Ｌ１１は、物体側に凸面を有するメニスカスレンズである。第１２レンズ素子Ｌ１２は、両凸レンズである。第１３レンズ素子Ｌ１３は、両凸レンズである。第１３レンズ素子Ｌ１３の両面は、非球面である。
【００３５】
つぎに、第４レンズ群Ｇ４内におけるレンズ素子について、説明する。
【００３６】
第１４レンズ素子Ｌ１４は、両凹レンズである。第１４レンズ素子Ｌ１４の両面は、非球面である。
【００３７】
さらに、第５レンズ群Ｇ５内におけるレンズ素子について、説明する。
【００３８】
第１５レンズ素子Ｌ１５は、像側に凸面を有するメニスカスレンズである。第１６レンズ素子Ｌ１６は、両凸レンズである。
【００３９】
以上のように、本実施の形態のズームレンズ系は、５群のレンズ群で構成される。
【００４０】
そして、本実施の形態のズームレンズ系の各レンズ群は、撮像時の広角端（Ｗｉｄｅ）から望遠端（Ｔｅｌｅ）へのズーミングの際に、図１の（ｃ）の矢印で示すように移動する。
【００４１】
具体的には、第１レンズ群Ｇ１は物体側に移動し、第２レンズ群Ｇ２は像面Ｓ側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と像面Ｓとの間隔は、増大する。このとき、広角端から望遠端へのズーミングの際に、開口絞りＡの開放絞り径は、広角端から望遠端まで増大する。
【００４２】
以上のように、各レンズ群は、図１の（ｃ）の矢印で示すように、光軸Ｌに沿って移動する。そして、図１の（ａ）、（ｄ）、（ｅ）に示すように、広角端、中間位置および望遠端において、各レンズ群が配置される。
【００４３】
つまり、本実施の形態のズームレンズ系は、全てのレンズ群が光軸Ｌに沿って、相対的に移動する。言い換えると、各レンズ群の間隔が変化する。これにより、広角端から望遠端までのズーミング動作が行われる。
【００４４】
なお、フォーカシングレンズ群を構成する第４レンズ群Ｇ４は、無限遠合焦状態から近接合焦状態へのフォーカシングの際に、図１の（ｂ）の矢印で示すように、光軸Ｌに沿って像側へ移動する。
【００４５】
また、第３レンズ群Ｇ３の第１３レンズ素子Ｌ１３は、光軸Ｌに対して垂直に移動する。これにより、像のぶれを光学的に補正する。具体的には、第１３レンズ素子Ｌ１３の光軸Ｌに対する垂直方向の移動により、全ズームレンズ系の振動による像点移動を補正する。その結果、手ぶれ、振動などによる像のぶれを光学的に補正できる。
【００４６】
（実施の形態２）
以下に、実施の形態２に係るズームレンズ系について、図４を用いて、説明する。
【００４７】
図４は、実施の形態２に係るズームレンズ系のレンズ配置図およびその動作を示している。
【００４８】
図４に示すように、本実施の形態のズームレンズ系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、平行平板Ｐなどで構成される。
【００４９】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３で構成される。第１レンズ素子Ｌ１と第２レンズ素子Ｌ２は、例えば紫外線硬化型樹脂などの接着剤で接着される接合レンズを構成する。
【００５０】
第２レンズ群Ｇ２は、物体側から像側へと順に、負のパワーを有する第４レンズ素子Ｌ４と、負のパワーを有する第５レンズ素子Ｌ５と、正のパワーを有する第６レンズ素子Ｌ６と、負のパワーを有する第７レンズ素子Ｌ７で構成される。
【００５１】
第３レンズ群Ｇ３は、物体側から像側へと順に、正のパワーを有する第８レンズ素子Ｌ８と、正のパワーを有する第９レンズ素子Ｌ９と、負のパワーを有する第１０レンズ素子Ｌ１０と、正のパワーを有する第１１レンズ素子Ｌ１１と、正のパワーを有する第１２レンズ素子Ｌ１２で構成される。第１０レンズ素子Ｌ１０と第１１レンズ素子Ｌ１１は、例えば紫外線硬化型樹脂などの接着剤で接着される接合レンズを構成する。
【００５２】
第４レンズ群Ｇ４は、負のパワーを有する第１３レンズ素子Ｌ１３で構成される。
【００５３】
第５レンズ群Ｇ５は、負のパワーを有する第１４レンズ素子Ｌ１４と、正のパワーを有する第１５レンズ素子Ｌ１５で構成される。なお、第１４レンズ素子Ｌ１４は、レンズ素子ＬＧ５Ｆで例示される。
【００５４】
開口絞りＡは、第２レンズ群Ｇ２の第７レンズ素子Ｌ７と、第３レンズ群Ｇ３の第８レンズ素子Ｌ８との間に配置される。
【００５５】
以下に、本実施の形態のズームレンズ系の各レンズ群を構成するレンズ素子について、説明する。
【００５６】
まず、第１レンズ群Ｇ１内における各レンズ素子について、説明する。
【００５７】
第１レンズ素子Ｌ１は、物体側に凸面を有するメニスカスレンズである。第２レンズ素子Ｌ２は、両凸レンズである。第３レンズ素子Ｌ３は、物体側に凸面を有するメニスカスレンズである。
【００５８】
つぎに、第２レンズ群Ｇ２内におけるレンズ素子について、説明する。
【００５９】
第４レンズ素子Ｌ４は、物体側に凸面を有するメニスカスレンズである。第５レンズ素子Ｌ５は、像側に凸面を有するメニスカスレンズである。第５レンズ素子Ｌ５の両面は、非球面である。第６レンズ素子Ｌ６は、両凸レンズである。第７レンズ素子Ｌ７は、像側に凸面を有するメニスカスレンズである。
【００６０】
つぎに、第３レンズ群Ｇ３内における各レンズ素子について、説明する。
【００６１】
第８レンズ素子Ｌ８は、物体側に凸面を有するメニスカスレンズである。第８レンズ素子Ｌ８の両面は、非球面である。第９レンズ素子Ｌ９は、物体側に凸面を有するメニスカスレンズである。第１０レンズ素子Ｌ１０は、物体側に凸面を有するメニスカスレンズである。第１１レンズ素子Ｌ１１は、両凸レンズである。第１２レンズ素子Ｌ１２は、両凸レンズである。第１２レンズ素子Ｌ１２の両面は、非球面である。
【００６２】
つぎに、第４レンズ群Ｇ４内におけるレンズ素子について、説明する。
【００６３】
第１３レンズ素子Ｌ１３は、両凹レンズである。第１３レンズ素子Ｌ１３の両面は、非球面である。
【００６４】
つぎに、第５レンズ群Ｇ５内におけるレンズ素子について、説明する。
【００６５】
第１４レンズ素子Ｌ１４は、像側に凸面を有するメニスカスである。第１５レンズ素子Ｌ１５は、両凸レンズである。
【００６６】
以上のように、本実施の形態のズームレンズ系は、５群のレンズ群で構成される。
【００６７】
そして、本実施の形態のズームレンズ系の各レンズ群は、撮像時の広角端から望遠端へのズーミングの際に、図４の（ｃ）の矢印で示すように移動する。
【００６８】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。第４レンズ群Ｇ４は物体側へ移動し、第５レンズ群Ｇ５は物体側へ移動する。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。第５レンズ群Ｇ５と像面Ｓとの間隔は増大する。このとき、広角端から望遠端へのズーミングの際に、開口絞りＡの開放絞り径は、広角端から望遠端まで増大する。
【００６９】
以上のように、各レンズ群は、図４の（ｃ）の矢印で示すように、光軸Ｌに沿って移動する。そして、図４の（ａ）、（ｄ）、（ｅ）に示すように、広角端、中間位置および望遠端において、各レンズ群が配置される。
【００７０】
つまり、本実施の形態のズームレンズ系は、全てのレンズ群が光軸Ｌに沿って、相対的に移動する。言い換えると、各レンズ群の間隔が変化する。これにより、広角端から望遠端までのズーミング動作が行われる。
【００７１】
なお、フォーカシングレンズ群を構成する第４レンズ群Ｇ４は、無限遠合焦状態から近接合焦状態へのフォーカシングの際に、図４の（ｂ）の矢印で示すように、光軸Ｌに沿って像側へ移動する。
【００７２】
また、第３レンズ群Ｇ３の第１３レンズ素子Ｌ１３は、光軸Ｌに対して垂直方向に移動する。これにより、像のぶれを光学的に補正する。具体的には、第１３レンズ素子Ｌ１３の移動により、全ズームレンズ系の振動による像点移動を補正する、その結果、手ぶれ、振動などによる像のぶれを光学的に補正できる。
【００７３】
（実施の形態３）
以下に、実施の形態３に係るズームレンズ系について、図７を用いて、説明する。
【００７４】
図７は、実施の形態３に係るズームレンズ系のレンズ配置図およびその動作を示している。
【００７５】
図７に示すように、本実施の形態のズームレンズ系は、物体側から像側へと順に、正のパワーを有する第１レンズ群Ｇ１と、負のパワーを有する第２レンズ群Ｇ２と、開口絞りＡと、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６と、平行平板Ｐなどで構成される。
【００７６】
第１レンズ群Ｇ１は、物体側から像側へと順に、負のパワーを有する第１レンズ素子Ｌ１と、正のパワーを有する第２レンズ素子Ｌ２と、正のパワーを有する第３レンズ素子Ｌ３と、で構成される。第１レンズ素子Ｌ１と第２レンズ素子Ｌ２は、例えば紫外線硬化型樹脂などの接着剤で接着される接合レンズを構成する。
【００７７】
第２レンズ群Ｇ２は、物体側から像側へと順に、負のパワーを有する第４レンズ素子Ｌ４と、負のパワーを有する第５レンズ素子Ｌ５と、正のパワーを有する第６レンズ素子Ｌ６と、負のパワーを有する第７レンズ素子Ｌ７を構成する。
【００７８】
第３レンズ群Ｇ３は、物体側から像側へと順に、正のパワーを有する第８レンズ素子Ｌ８と、負のパワーを有する第９レンズ素子Ｌ９と、正のパワーを有する第１０レンズ素子Ｌ１０と、負のパワーを有する第１１レンズ素子Ｌ１１と、正のパワーを有する第１２レンズ素子Ｌ１２と、正のパワーを有する第１３レンズ素子Ｌ１３で構成される。第９レンズ素子Ｌ９と第１０レンズ素子Ｌ１０は、例えば紫外線硬化型樹脂などの接着剤で接着される接合レンズを構成する。第１１レンズ素子Ｌ１１と第１２レンズ素子Ｌ１２は、例えば紫外線硬化型樹脂などの接着剤で接着される接合レンズを構成する。
【００７９】
第４レンズ群Ｇ４は、負のパワーを有する第１４レンズ素子Ｌ１４で構成される。
【００８０】
第５レンズ群Ｇ５は、負のパワーを有する第１５レンズ素子Ｌ１５と、正のパワーを有する第１６レンズ素子Ｌ１６で構成される。なお、第１５レンズ素子Ｌ１５は、レンズ素子ＬＧ５Ｆで例示される。
【００８１】
第６レンズ群Ｇ６は、負のパワーを有する第１７レンズ素子Ｌ１７で構成される。
【００８２】
開口絞りＡは、第２レンズ群Ｇ２の第７レンズ素子Ｌ７と、第３レンズ群Ｇ３の第８レンズ素子Ｌ８との間に配置される。
【００８３】
以下に、本実施の形態のズームレンズ系の各レンズ群を構成するレンズ素子について、説明する。
【００８４】
まず、第１レンズ群Ｇ１内における各レンズ素子について、説明する。
【００８５】
第１レンズ素子Ｌ１は、物体側に凸面を有するメニスカスレンズである。第２レンズ素子Ｌ２は、両凸レンズである。第３レンズ素子Ｌ３は、物体側に凸面を有するメニスカスレンズである。
【００８６】
つぎに、第２レンズ群Ｇ２内における各レンズ素子について、説明する。
【００８７】
第４レンズ素子Ｌ４は、物体側に凸面を有するメニスカスレンズである。第５レンズ素子Ｌ５は、像側に凸面を有するメニスカスレンズである。第５レンズ素子Ｌ５の両面は、非球面である。第６レンズ素子Ｌ６は、両凸レンズである。第７レンズ素子Ｌ７は、像側に凸面を有するメニスカスレンズである。
【００８８】
つぎに、第３レンズ群Ｇ３内における各レンズ素子について、説明する。
【００８９】
第８レンズ素子Ｌ８は、物体側に凸面を有するメニスカスレンズである。第８レンズ素子Ｌ８の両面は、非球面である。第９レンズ素子Ｌ９は、物体側に凸面を有するメニスカスレンズである。第１０レンズ素子Ｌ１０は、物体側に凸面を有するメニスカスレンズである。第１１レンズ素子Ｌ１１は、物体側に凸面を有するメニスカスレンズである。第１２レンズ素子Ｌ１２は、両凸レンズである。第１３レンズ素子Ｌ１３は、両凸レンズである。第１３レンズ素子Ｌ１３の両面は、非球面である。
【００９０】
つぎに、第４レンズ群Ｇ４内におけるレンズ素子について、説明する。
【００９１】
第１４レンズ素子Ｌ１４は、両凹レンズである。第１４レンズ素子Ｌ１４の両面は、非球面である。
【００９２】
さらに、第５レンズ群Ｇ５内におけるレンズ素子について、説明する。
【００９３】
第１５レンズ素子Ｌ１５は、像側に凸面を有するメニスカスレンズである。第１６レンズ素子Ｌ１６は、両凸レンズである。
【００９４】
以上のように、本実施の形態のズームレンズ系は、６群のレンズ群で構成される。
【００９５】
そして、本実施の形態のズームレンズ系の各レンズ群は、撮像時の広角端から望遠端へのズーミングの際に、図７の（ｃ）の矢印で示すように移動する。
【００９６】
具体的には、まず、第１レンズ群Ｇ１は物体側に移動し、第２レンズ群Ｇ２は像面側に凸の軌跡を描くように移動する。開口絞りＡと第３レンズ群Ｇ３は、一体となって物体側に移動する。そして、第４レンズ群Ｇ４は物体側へ移動し、第５レンズ群Ｇ５は物体側へ移動する。そして、第６レンズ群Ｇ６は移動しない。この移動により、ズーミングに際して、第１レンズ群Ｇ１と第２レンズ群Ｇ２との間隔は増大し、第２レンズ群Ｇ２と第３レンズ群Ｇ３との間隔は減少する。第３レンズ群Ｇ３と第４レンズ群Ｇ４との間隔は、広角端から中間位置までは増大し、中間位置から望遠端までは減少する。第４レンズ群Ｇ４と第５レンズ群Ｇ５との間隔は、広角端から中間位置までは減少し、中間位置から望遠端までは増大する。そして、第５レンズ群Ｇ５と第６レンズ群Ｇ６との間隔は、増大する。このとき、広角端から望遠端へのズーミングの際に、開口絞りＡの開放絞り径は、広角端から望遠端まで増大する。
【００９７】
以上のように、各レンズ群は、図７の（ｃ）の矢印で示すように、光軸Ｌに沿って移動する。そして、図７の（ａ）、（ｄ）、（ｅ）に示すように、広角端、中間位置および望遠端において、各レンズ群が配置される。
【００９８】
つまり、本実施の形態のズームレンズ系は、全てのレンズ群が光軸Ｌに沿って、相対的に移動する。言い換えると、各レンズ群の間隔が変化する。これにより、広角端から望遠端までのズーミング動作が行われる。
【００９９】
なお、フォーカシングレンズ群を構成する第４レンズ群Ｇ４は、無限遠合焦状態から近接合焦状態へのフォーカシングの際に、図７の（ｂ）の矢印で示すように、光軸Ｌに沿って像側へ移動する。
【０１００】
また、第３レンズ群Ｇ３の第１３レンズ素子Ｌ１３は、光軸Ｌに対して垂直方向に移動する。これにより、像のぶれを光学的に補正する。
【０１０１】
（条件および効果等）
以下に、実施の形態１から実施の形態３に係るズームレンズ系の構成を満足することが可能な条件について、説明する。
【０１０２】
つまり、各実施の形態に係るズームレンズ系に対しては、複数の可能な条件が規定される。この場合、複数の条件のすべてを満足するズームレンズ系の構成が最も効果的である。
【０１０３】
しかしながら、以下で述べる個別の条件を満足することにより、それぞれに対応する効果を奏するズームレンズ系を得ることも可能である。
【０１０４】
例えば、実施の形態１から実施の形態３に係るズームレンズ系は、物体側から像側へと順に、正のパワーを有する第１レンズ群と、負のパワーを有する第２レンズ群と、正のパワーを有する第３レンズ群と、負のパワーを有する第４レンズ群と、パワーを有する第５レンズ群と、を備える。ズーミングに際して、各レンズ群の間隔が変化し、第５レンズ群は物体側に移動する。
【０１０５】
そして例えば、下記の条件（１）を満足することが望ましい。
【０１０６】
０．１２  ＜  Ｔ３５ｔ  ／  ＴＬｔ  ＜  ０．２５  ・・・（１）
ここで、
Ｔ３５ｔ：望遠端における、第３レンズ群Ｇ３の最も像側の面から第５レンズ群Ｇ５の最も物体側の面までの距離、
ＴＬｔ：望遠端における、第１レンズ群Ｇ１の最も物体側の面から像面Ｓまでの距離、
である。
【０１０７】
つまり、条件（１）は、第３レンズ群Ｇ３と第５レンズ群Ｇ５の光軸上での間隔と、ズームレンズ系の全長と、の関係を規定する。
【０１０８】
条件（１）の下限値（０．１２）以下になると、フォーカス群のストロークが短くなる。そのため、近接被写体への合焦が困難になる。逆に、条件（１）の上限値（０．２５）以上になると、フォーカス群のストロークが長くなりすぎる。そのため、フォーカスの速度が遅くなる。
【０１０９】
このとき、以下の条件（１ａ）または（１ｂ）のいずれか一方を満足すれば、より好ましい。
【０１１０】
０．１５  ＜  Ｔ３５ｔ  ／  ＴＬｔ  ・・・（１ａ）
Ｔ３５ｔ  ／  ＴＬｔ  ＜  ０．２２  ・・・（１ｂ）
これにより、前述の効果が、より向上する。
【０１１１】
また、以下の条件（１ｃ）または（１ｄ）のいずれか一方を満足すれば、さらに好ましい。
【０１１２】
０．１７  ＜  Ｔ３５ｔ  ／  ＴＬｔ  ・・・（１ｃ）
Ｔ３５ｔ  ／  ＴＬｔ  ＜  ０．２    ・・・（１ｄ）
これにより、前述の効果が、さらに向上する。
【０１１３】
また、例えば、下記の条件（２）を満足することが望ましい。
【０１１４】
０．０５  ＜  Ｔ３５ｗ  ／  ＴＬｗ  ＜  ０．２  ・・・（２）
ここで、
Ｔ３５ｗ：広角端における、第３レンズ群Ｇ３の最も像側の面から第５レンズ群Ｇ５の最も物体側の面までの距離、
ＴＬｗ：広角端における、第１レンズ群Ｇ１の最も物体側の面から像面までの距離、
である。
【０１１５】
つまり、条件（２）は、第３レンズ群Ｇ３と第５レンズ群の光軸上での間隔と、ズームレンズ系の全長と、の関係を規定する。
【０１１６】
条件（２）の下限値（０．０５）以下になると、フォーカス群のストロークが短くなる。そのため、近接被写体への合焦が困難になり、またフォーカス駆動のためのアクチュエータの配置が困難になる。逆に、条件（２）の上限値（０．２０）以上になると、フォーカス群のストロークが長くなりすぎる。そのため、フォーカスの速度が遅くなる。
【０１１７】
このとき、以下の条件（２ａ）または（２ｂ）のいずれか一方を満足すれば、より好ましい。
【０１１８】
０．０７  ＜  Ｔ３５ｗ  ／  ＴＬｗ  ・・・（２ａ）
Ｔ３５ｗ  ／  ＴＬｗ  ＜  ０．１８  ・・・（２ｂ）
これにより、前述の効果が、より向上する。
【０１１９】
また、以下の条件（２ｃ）または（２ｄ）のいずれか一方を満足すれば、さらに好ましい。
【０１２０】
０．０９  ＜  Ｔ３５ｗ  ／  ＴＬｗ  ・・・（２ｃ）
Ｔ３５ｗ  ／  ＴＬｗ  ＜  ０．２    ・・・（２ｄ）
これにより、前述の効果が、さらに向上する。
【０１２１】
また、例えば第５レンズ群Ｇ５を構成するレンズ素子のうち、最も物体側のレンズ素子ＬＧ５Ｆは、負のパワーを有し、下記の条件（３）を満足することが望ましい。
【０１２２】
ｖｄＬＧ５Ｆ  ＞  ６５  ・・・（３）
ここで、
ｖｄＬＧ５Ｆ：レンズ素子ＬＧ５Ｆのアッベ数、
である。
【０１２３】
条件（３）の下限値６５以下になると、フォーカス移動時の倍率色収差の変化が大きくなる。そのため、近接撮影時の倍率色収差が大きくなり、性能が確保できなくなる。
【０１２４】
このとき、以下の条件（３ａ）を満足すれば、より好ましい。
【０１２５】
ｖｄＬＧ５Ｆ  ＞  ７０  ・・・（３ａ）
これにより、前述の効果が、より向上する。
【０１２６】
このとき、以下の条件（３ｂ）を満足すれば、より好ましい。
【０１２７】
ｖｄＬＧ５Ｆ  ＞  ７５  ・・・（３ｂ）  
これにより、前述の効果が、より向上する。
【０１２８】
また、例えば下記の条件（４）を満足することが望ましい。
【０１２９】
０．３  ＜  ｜ｆ４｜  ／  ｆｔ  ＜  ０．７  ・・・（４）
ここで、
ｆ４  ：第４レンズ群Ｇ４の焦点距離、
ｆｔ  ：望遠端におけるズームレンズ系全体の焦点距離、
である。
【０１３０】
つまり、条件（４）は、第４レンズ群Ｇ４の焦点距離と、望遠端におけるズームレンズ系全体の焦点距離、の関係を規定する。
【０１３１】
条件（４）の下限値（０．３）以下になると、フォーカス群のパワーが弱くなりすぎる。そのため、無限遠物点合焦時から近物点合焦時のフォーカス群の移動量が大きくなり、フォーカス速度が低下する。逆に、条件（４）の上限値（０．７）以上になると、フォーカス群のパワーが強くなりすぎる。そのため、フォーカスの移動に対する像面移動量が大きくなり、フォーカスの停止精度が厳しくなる。
【０１３２】
このとき、以下の条件（４ａ）または（４ｂ）のいずれか一方を満足すれば、より好ましい。
【０１３３】
０．３５  ＜｜ｆ４｜  ／  ｆｔ    ・・・（４ａ）
｜ｆ４｜  ／  ｆｔ  ＜  ０．６５  ・・・（４ｂ）
このとき、以下の条件（４ｃ）または（４ｄ）のいずれか一方を満足すれば、より好ましい。
【０１３４】
０．４  ＜｜ｆ４｜  ／  ｆｔ    ・・・（４ｃ）
｜ｆ４｜  ／  ｆｔ  ＜  ０．６  ・・・（４ｄ）
また、例えば第３レンズ群Ｇ３を構成するレンズ素子のうち、アッベ数が６５より大きいレンズ素子が少なくとも２枚以上であることが望ましい。これにより、軸上色収差を良好に補正することができる。
【０１３５】
このとき、第３レンズ群Ｇ３を構成するレンズ素子のうち、アッベ数が６５より大きいレンズ素子が３枚以上であれば、より好ましい。
【０１３６】
これにより、前述の効果が、より向上する。
【０１３７】
また、例えば下記の条件（５）を満足することが望ましい。
【０１３８】
０．０５  ＜  ｜ｄＦ｜  ／  ｆｔ  ＜  ０．３  ・・・（５）
ここで、
ｆｔ  ：望遠端におけるズームレンズ系全体の焦点距離、
ｄＦ  ：望遠端での無限遠合焦状態から最近接合焦状態へのフォーカシングにおける、フォーカスレンズ群の移動量
である。
【０１３９】
つまり、条件（５）は、望遠端での無限遠合焦状態から最近接合焦状態へのフォーカシングにおける、フォーカスレンズ群の移動量と、望遠端におけるズームレンズ系全体の焦点距離、の関係を規定する。
【０１４０】
条件（５）の下限値（０．０５）以下になると、フォーカス群の移動量が小さくなりすぎ、フォーカスの精度が低下する。逆に、条件（５）の上限値（０．３）以上になると、フォーカス群の移動量が大きくなりすぎ、フォーカス速度が低下する。
【０１４１】
このとき、以下の条件（５ａ）または（５ｂ）のいずれか一方を満足すれば、より好ましい。
【０１４２】
０．１０  ＜  ｜ｄＦ｜  ／  ｆｔ  ・・・（５ａ）
｜ｄＦ｜  ／  ｆｔ  ＜  ０．２５  ・・・（５ｂ）
また、以下の条件（５ｃ）または（５ｄ）のいずれか一方を満足すれば、さらに好ましい。
【０１４３】
０．１５  ＜  ｜ｄＦ｜  ／  ｆｔ・・・（５ｃ）
｜ｄＦ｜  ／  ｆｔ  ＜  ０．２  ・・・（５ｄ）
これにより、前述の効果が、さらに向上する。
【０１４４】
（実施の形態１を適用した撮像装置の概略構成）
以下に、実施の形態１のズームレンズ系を適用した撮像装置の概略構成について、図１０を用いて、説明する。
【０１４５】
図１０は、実施の形態１に係るズームレンズ系を備える撮像装置の概略構成図である。なお、図１０では、実施の形態１のズームレンズ系を撮像装置に適用する例で説明するが、実施の形態２から３のズームレンズ系を撮像装置に適用する構成としてもよく、同様の効果が得られる。
【０１４６】
図１０に示すように、撮像装置１００は、筐体１０４と、筐体１０４と接続される鏡筒３０２などで構成される。筐体１０４は、内部に、撮像素子１０２を有する。鏡筒３０２は、内部に、ズームレンズ系１０１を備える。なお、撮像装置１００は、例えばデジタルカメラで例示される。
【０１４７】
ズームレンズ系１０１は、第１レンズ群Ｇ１と、第２レンズ群Ｇ２と、第３レンズ群Ｇ３と、開口絞りＡと、第４レンズ群Ｇ４と、第５レンズ群Ｇ５などを備え、鏡筒３０２内に収納される。
【０１４８】
鏡筒３０２は、ズームレンズ系１０１を構成する各レンズ群と、開口絞りＡを保持する。
【０１４９】
撮像素子１０２は、本実施の形態のズームレンズ系における像面Ｓの位置に配置される。
【０１５０】
また、筐体１０４は、内部に、アクチュエータやレンズ枠などを備える。アクチュエータやレンズ枠には、ズームレンズ系１０１を構成する、各レンズ群と、開口絞りＡなどが、ズーミングの際に移動可能に配置される。
【０１５１】
以上のように、撮像装置１００が構成される。これにより、諸収差の良好な撮像装置１００を実現できる。
【０１５２】
なお、上記では、ズームレンズ系をデジタルカメラに適用した例で説明したが、これに限られない。例えば、監視カメラ、スマートフォンなどの撮像装置に適用してもよい。
【０１５３】
（実施の形態１を適用したカメラシステムの概略構成）
以下に、実施の形態１のズームレンズ系を適用したカメラシステムの概略構成について、図１１を用いて、説明する。
【０１５４】
図１１は、実施の形態１に係るズームレンズ系を備えるカメラシステムの概略構成図である。なお、図１１では、実施の形態１のズームレンズ系をカメラシステムに適用する例で説明するが、実施の形態２から６のズームレンズ系をカメラシステムに適用する構成としてもよく、同様の効果が得られる。また、カメラシステム２００は、例えばレンズ交換式デジタルカメラシステムなどで例示される。
【０１５５】
図１１に示すように、カメラシステム２００は、カメラ本体２０１と、カメラ本体２０１に着脱自在に接続される交換レンズ装置３００などを備える。
【０１５６】
カメラ本体２０１は、撮像素子２０２と、モニタ２０３と、画像信号を記憶するメモリ（図示せず）と、カメラマウント部２０４と、ファインダ２０５などを含む。撮像素子２０２は、例えばＣＭＯＳイメージセンサで構成され、交換レンズ装置３００のズームレンズ系によって形成される光学像を受光して、電気的な画像信号に変換する。モニタ２０３は、例えばＬＣＤで構成され、撮像素子２０２によって変換された画像信号を表示する。
【０１５７】
交換レンズ装置３００は、第１レンズ群Ｇ１と、第２レンズ群Ｇ２と、開口絞りＡと、第３レンズ群Ｇ３と、第４レンズ群Ｇ４と、第５レンズ群Ｇ５などから構成されるズームレンズ系１０１を備える。
【０１５８】
鏡筒３０２は、ズームレンズ系１０１の各レンズ群と、開口絞りＡを保持する。さらに、鏡筒３０２は、カメラ本体２０１のカメラマウント部２０４に接続されるレンズマウント部３０４を含む。
【０１５９】
カメラ本体２０１のカメラマウント部２０４と鏡筒３０２のレンズマウント部３０４とは、例えばバヨネット機構などにより物理的に接続される。そして、カメラ本体２０１内のコントローラ（図示せず）と交換レンズ装置３００内のコントローラ（図示せず）とが、電気的に接続される。つまり、カメラマウント部２０４およびレンズマウント部３０４は、相互の信号のやり取りを可能とするインターフェースとして、機能する。
【０１６０】
ズームレンズ系１０１は、交換レンズ装置３００の鏡筒３０２内に保持される各レンズ群と、カメラ本体２０１内の平行平板Ｐなどから構成される。
【０１６１】
ズームレンズ系１０１は、内部に、コントローラによって制御されるアクチュエータやレンズ枠を備える。アクチュエータやレンズ枠には、ズームレンズ系１０１を構成する各レンズ群と、開口絞りＡなどが、ズーミングの際に移動可能に配置される。
【０１６２】
以上のように、カメラシステム２００が構成される。これにより、諸収差の良好なカメラシステム２００を実現できる。
【０１６３】
（他の実施の形態）
以上、本出願に開示する技術について、実施の形態１から実施の形態３を例に説明した。
【０１６４】
しかしながら、本開示における技術は、これに限定されず、変更、置き換え、付加、省略などを行った実施の形態にも適用可能である。
【０１６５】
上記実施の形態１から実施の形態３に係るズームレンズ系では、広角端から望遠端までの全てのズーミング域を使用する例で説明したが、必ずしも、ズーミング域の全てを使用する必要はない。例えば、所望のズーミング域に応じて、光学性能が確保されている範囲を切り出して、ズームレンズ系として使用してもよい。つまり、以下で、実施の形態１から実施の形態３に対応する数値実施例１から数値実施例３で説明するズームレンズ系よりも、低倍率のズームレンズ系として使用してもよい。また、所望のズーミング位置に応じて、光学性能が確保されている焦点距離を切り出して、単焦点レンズ系として使用してもよい。
【０１６６】
また、実施の形態１から実施の形態３に係るズームレンズ系では、像ぶれ補正用のレンズ素子を、光軸に対して垂直方向に移動させて像ぶれ補正を行う構成を例に説明したが、これに限られない。つまり、光軸に対して垂直方向の成分を持つように移動方式であれば、画像のぶれを補正することが可能である。そのため、例えば鏡筒構造の複雑化を許容すれば、光軸上に回転中心を持つように像ぶれ補正用のレンズ素子を回動させて像ぶれ補正を行う構成としもよい。
【０１６７】
また、実施の形態１から実施の形態３では、ズームレンズ系を構成する各レンズ群は、入射光線を屈折により偏向させる屈折型レンズ素子（すなわち、異なる屈折率を有する媒質同士の界面で偏向が行われるタイプのレンズ素子）のみで構成する例で説明したが、これに限られない。例えば、回折により入射光線を偏向させる回折型レンズ素子や、回折作用と屈折作用との組み合わせで入射光線を偏向させる屈折・回折ハイブリッド型レンズ素子で構成してもよい。さらに、入射光線を媒質内の屈折率分布により偏向させる屈折率分布型レンズ素子などで、各レンズ群を構成してもよい。特に、屈折・回折ハイブリッド型レンズ素子において、屈折率の異なる媒質の界面に回折構造を形成すると、回折効率の波長依存性が改善されるので、より好ましい。なお、倍率色収差補正といった、光学的な収差をカメラ本体側で補正しても構わない。これにより、ズーム全域での諸収差が良好に補正されており、かつ、高い近接撮影能力を備えたカメラシステムなどを実現できる。
【０１６８】
（数値実施例）
以下、実施の形態１から実施の形態３に係るズームレンズ系の構成において、具体的に実施した数値実施例について、図２、図３Ａ〜図３Ｃ、図５、図６Ａ〜図６Ｃ、図８、図９Ａ〜図９Ｃを参照しながら説明する。
【０１６９】
なお、各数値実施例において、表中の長さの単位は「ｍｍ」で、画角の単位は「°」である。また、各数値実施例において、ｒは曲率半径、ｄは面間隔、ｎｄはｄ線に対する屈折率、νｄ（ｖｄとも記す）はｄ線に対するアッベ数である。さらに、各数値実施例において、＊印を付した面は非球面である。そして、非球面形状は、次式で定義される。また、各数値実施例において、絞り径は、各ズームポジションにおける有効な開放絞り径である。
【０１７０】
【数１】
2020118738.tif 000003
ここで、Ｚは光軸からの高さｈの非球面上の点から、非球面頂点の接平面までの距離、ｈは光軸からの高さ、ｒは頂点曲率半径、κは円錐定数、Ａｎはｎ次の非球面係数である。
【０１７１】
図２、図５、および図８は、実施の形態１から３に対応する数値実施例１から３に係るズームレンズ系の無限遠合焦状態の縦収差図である。
【０１７２】
ここで、各縦収差図において、（ａ）は広角端、（ｂ）は中間位置、（ｃ）は望遠端における各縦収差を表している。各縦収差図の（ａ）から（ｃ）は、左側から順に、球面収差（ＳＡ：Ｓｐｈｅｒｉｃａｌ  Ａｂｅｒｒａｔｉｏｎ（ｍｍ））、非点収差（ＡＳＴ：Ａｓｔｉｇｍａｔｉｓｍ（ｍｍ））、歪曲収差（ＤＩＳ：Ｄｉｓｔｏｒｔｉｏｎ（％））を示している。
【０１７３】
球面収差図において、縦軸はＦナンバー（図中、「Ｆ」で示す）を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。非点収差図において、縦軸は像高（図中、「Ｈ」で示す）を表し、実線はサジタル平面（図中、「ｓ」で示す）、破線はメリディオナル平面（図中、「ｍ」で示す）に対する特性を示している。さらに、歪曲収差図において、縦軸は像高（図中、「Ｈ」で示す）を表している。
【０１７４】
また、図３Ａ、図６Ａおよび図９Ａは、実施の形態１から３に対応する数値実施例１から３に係るズームレンズ系の広角端における横収差図である。図３Ｂ、図６Ｂおよび図９Ｂは、実施の形態１から３に対応する数値実施例１から３に係るズームレンズ系の中間位置における横収差図である。図３Ｃ、図６Ｃおよび図９Ｃは、実施の形態１から３に対応する数値実施例１から３に係るズームレンズ系の望遠端における横収差図である。
【０１７５】
ここで、各横収差図の（ａ）から（ｃ）は、各ズームポジションにおける像ぶれ補正を行っていない基本状態の特性を示している。また、各横収差図の（ｄ）から（ｆ）は、像ぶれ補正レンズ群を光軸と垂直な方向に所定量移動させた望遠端における像ぶれ補正状態の特性を示している。
【０１７６】
なお、基本状態の各横収差図の（ａ）は最大像高の７０％の像点における横収差、（ｂ）は軸上像点における横収差、（ｃ）は最大像高の−７０％の像点における横収差に対応する特性を示している。同様に、像ぶれ補正状態の各横収差図の（ｄ）は最大像高の７０％の像点における横収差、（ｅ）は軸上像点における横収差、（ｆ）は最大像高の−７０％の像点における横収差に対応する特性を示している。
【０１７７】
各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）に対する特性を示している。そして、各横収差図において、メリディオナル平面を、第３レンズ群Ｇ３の第１３レンズ素子Ｌ１３の光軸とを含む平面としている。
【０１７８】
ここで、各数値実施例のズームレンズ系について、各ズームポジションの像ぶれ補正状態における、像ぶれ補正レンズ群の光軸と垂直な方向への移動量を、以下に示す。
【０１７９】
広角             中間            望遠
数値実施例１    ０．０９５ｍｍ  ０．１３９ｍｍ  ０．２３１ｍｍ
数値実施例２    ０．０９６ｍｍ  ０．１４２ｍｍ  ０．２３４ｍｍ
数値実施例３    ０．０９８ｍｍ  ０．１４４ｍｍ  ０．２３８ｍｍ
なお、撮影距離が∞の各ズームポジションにおいて、ズームレンズ系が０．３度傾いた場合の像偏心量は、像ぶれ補正レンズ群が光軸と垂直な方向に上記の各値だけ平行移動するときの像偏心量に等しい。
【０１８０】
上記状態において、図３Ａから図３Ｃ、図６Ａから図６Ｃおよび図９Ａから図９Ｃの（ｂ）、（ｅ）に示す横収差図から、軸上像点における横収差の対称性が良好であることがわかる。
【０１８１】
また、図３Ａから図３Ｃ、図６Ａから図６Ｃおよび図９Ａから図９Ｃの（ａ）に示す基本状態の＋７０％の像点における横収差と、（ｃ）に示す基本状態の−７０％の像点における横収差とを比較すると、いずれも湾曲度が小さく、収差曲線の傾斜がほぼ等しい。これにより、偏心コマ収差および偏心非点収差が小さいことがわかる。上記の結果は、像ぶれ補正状態でも、充分な結像性能が得られていることを意味している。
【０１８２】
ここで、各数値実施例のズームレンズ系について、望遠端での無限遠合焦状態から最近接合焦状態へのフォーカシングにおける、フォーカスレンズ群の移動量ｄＦを、以下に示す。
【０１８３】
数値実施例１    １３．７６ｍｍ
数値実施例２    １３．６７ｍｍ
数値実施例３    １４．１３ｍｍ
なお、上記の最近接合焦状態での最近接被写体から像面までの距離は３０ｃｍ、そのときの撮影倍率は０．５倍であり、各数値実施例のズームレンズ系は、高い近接性能を備えている。
【０１８４】
（数値実施例１）
以下に、図１に示す実施の形態１に対応するズームレンズ系の数値実施例１を示す。具体的には、数値実施例１として、面データを（表１）、非球面データを（表２）、無限遠合焦状態での各種データを（表３Ａ）〜（表３Ｃ）に示す。
【０１８５】
（表１：面データ）
面番号             r                       d                        nd                   vd
物面                ∞ 
1        280.00000          1.70000              1.92286             20.9
2        125.81440          0.00500              1.56732             42.8
3        125.81440          4.90000              1.72916             54.7
4     -2000.00000          0.20000  
5          62.08700          5.44000              1.72916             54.7
6        220.88670             可変 
7        124.38640          1.20000              1.77250            49.6
8          16.21160        10.36000 
9*       -33.92900          1.20000              1.80755            40.9
10*    -209.79700          1.22000
11       138.67440          3.33000              1.92119            24.0
12        -43.17300          1.77000
13        -24.43450          0.80000              1.77250            49.6
14        -47.00000            可変
15(絞り)           ∞               1.20000
16*         25.50000          4.55000              1.68820            31.1
17*       311.09460          0.70000 
18           19.32130          0.90000              1.87070            40.7
19           13.60000          0.00500              1.56732            42.8
20           13.60000          4.34000              1.49700            81.6
21           24.19990          3.25000 
22           84.57030          0.80000              1.84666            23.8
23           18.44190          0.00500              1.56732            42.8
24           18.44190          5.21000              1.43700            95.1
25          -96.27630          0.50000
26*         30.23740           5.00000             1.55333            71.8
27*        -50.73480            可変 
28*        -68.67570          1.47000              1.55333            71.8
29*         43.14080            可変 
30        -106.50520         1.00000              1.49700             81.6
31       1030.88420         0.20000
32           61.55450         3.72000              1.90043             37.4
33        449.39140             可変
34               ∞                  2.10000              1.51680             64.2
35               ∞                  2.70000
像面            ∞                                
（表２：非球面データ）
第9面
K= 0.00000E+00, A4= 4.45022E-05, A6=-5.52511E-07, A8= 3.75457E-09 
A10=-1.55004E-11, A12= 2.73712E-14 
第10面
K= 0.00000E+00, A4= 3.22285E-05, A6=-5.67377E-07, A8= 3.84163E-09 
A10=-1.61204E-11, A12= 2.85010E-14 
第16面
K= 0.00000E+00, A4=-5.20686E-07, A6= 5.98614E-08, A8=-1.43541E-09 
A10= 1.04537E-11, A12=-3.02756E-14 
第17面
K= 0.00000E+00, A4= 7.38509E-06, A6= 4.63019E-08, A8=-1.39981E-09 
A10= 1.04276E-11, A12=-3.09412E-14 
第26面
K= 0.00000E+00, A4= 3.90077E-06, A6=-5.00465E-08, A8= 1.45882E-09 
A10=-1.62372E-11, A12= 9.28054E-14 
第27面
K= 0.00000E+00, A4= 1.50035E-05, A6=-3.78157E-08, A8= 1.43815E-09 
A10=-1.72507E-11, A12= 1.03537E-13 
第28面
K= 1.35840E+01, A4= 1.32500E-04, A6=-1.71126E-06, A8= 1.83203E-08 
A10=-1.24693E-10, A12= 3.74570E-13 
第29面
K= 1.27323E+00, A4= 1.25914E-04, A6=-1.60049E-06, A8= 1.58641E-08 
A10=-1.01935E-10, A12= 2.89438E-13 
（無限遠合焦状態での各種データ）
（表３Ａ：各種データ）
ズーム比     4.02233
広角                    中間                     望遠
焦点距離              25.0078              50.1541              100.5897
Ｆナンバー            4.12027              4.12016                4.12031
画角                     40.9808              23.2685               12.0606
像高                     19.6000              21.6330               21.6330
レンズ全長           136.5010            148.5300             180.7900
絞り半径CIR          7.2700                9.1250                10.8930
d6                           0.7000              12.7290                32.9890
d14                       27.0720                8.8540                  0.9570
d27                         1.8000                2.6200                  1.8000
d29                       16.1250              14.5550                29.6400
d33                       21.0290              39.9970                45.6290
（表３Ｂ：ズームレンズ群データ）
群      始面      焦点距離
1       1        93.99984
2       7       -20.43647
3     15        27.10485
4     28       -47.66198
5     30      132.20000
（表３Ｃ：ズームレンズ群倍率）
群              始面           広角               中間                望遠
1                 1          0.00000          0.00000          0.00000
2                 7         -0.30782         -0.37594          0.59929
3                 15          0.52274         -0.77385        -0.85522
4                 28          2.07933          2.81435         3.42650
5                 30          0.79514          0.65167         0.60935
（数値実施例２）
以下に、図４に示す実施の形態２に対応するズームレンズ系の数値実施例２を示す。具体的には、数値実施例２として、面データを（表４）に、非球面データを（表５）、無限遠合焦状態での各種データを（表６Ａ）〜（表６Ｃ）に示す。
【０１８６】
（表４：面データ）
面番号             r                       d                        nd                   vd 
物面                ∞
1            422.73930           1.70000             1.92286            20.9
2            150.55760           0.00500             1.56732            42.8
3            150.55760           4.73000             1.72916            54.7
4           -707.32710           0.20000 
5              62.46690            5.52000            1.72916            54.7
6            222.97240             可変 
7            115.08850           1.20000             1.77250           49.6
8              16.32840         10.18000 
9*           -34.17180           1.20000            1.80998           40.9
10*        -300.79420           0.54000 
11           161.26780           3.43000             1.92119           24.0
12           -39.93660           2.05000 
13           -22.03700           0.80000              1.77250           49.6
14           -40.05520            可変 
15(絞り)           ∞               1.20000
16*           24.99290           6.00000              1.68948           31.0
17*       1000.00000           1.52000 
18             41.05800           4.50000             1.49700            81.6
19             78.31140           1.46000
20          108.58390           0.80000              1.84666            23.8
21            16.32600           0.00500              1.56732            42.8
22            16.32600           5.50000              1.43700            95.1
23         -256.60390           1.96000 
24*          30.94220           5.00000               1.55332           71.7
25*         -49.30730            可変
26*         -85.39870           1.36000               1.55332           71.7
27*          37.00340            可変
28          -89.83630            1.00000              1.49700            81.6
29         817.04480            0.20000
30           71.23630            4.00000              1.90043            37.4
31        -582.43270             可変 
32               ∞                     2.10000              1.51680            64.2
33               ∞                     2.70000 
像面             ∞ 
（表５：非球面データ）
第9面
K= 0.00000E+00, A4= 2.69532E-05, A6=-3.73595E-07, A8= 2.76250E-09 
A10=-1.11253E-11, A12= 1.82425E-14 
第10面
K= 0.00000E+00, A4= 1.43997E-05, A6=-3.81003E-07, A8= 2.69625E-09 
A10=-1.06521E-11, A12= 1.50319E-14 
第16面
K= 0.00000E+00, A4=-9.67453E-07, A6= 1.56958E-08, A8=-1.29190E-10 
A10= 1.13972E-12, A12= 1.69850E-15 
第17面
K= 0.00000E+00, A4= 8.16413E-06, A6= 1.44039E-08, A8=-5.47160E-11 
A10= 6.37084E-13, A12= 4.97057E-15 
第24面
K= 0.00000E+00, A4= 1.77556E-06, A6=-5.77564E-08, A8= 2.02504E-09 
A10=-1.87715E-11, A12= 8.65368E-14 
第25面
K= 0.00000E+00, A4= 1.39033E-05, A6=-4.15282E-08, A8= 1.76890E-09 
A10=-1.79381E-11, A12= 9.12412E-14 
第26面
K= 0.00000E+00, A4= 1.14383E-04, A6=-1.71852E-06, A8= 1.81738E-08 
A10=-1.13888E-10, A12= 3.06620E-13 
第27面
K=-1.80088E+00, A4= 1.20230E-04, A6=-1.65664E-06, A8= 1.67089E-08 
A10=-9.97466E-11, A12= 2.55671E-13
（無限遠合焦状態での各種データ）
（表６Ａ：各種データ）
ズーム比     4.02230
広角                    中間                     望遠
焦点距離              25.0080               50.1549             100.5896
Ｆナンバー            4.12005              4.12037                4.12030
画角                    41.0581              23.0757                11.9668
像高                    19.6000              21.6330                21.6330
レンズ全長          136.5002            147.8181              183.0005
絞り半径CIR         7.1700                8.8220                10.6300
d6                          0.7000              13.3986                34.0018 
d14                      26.2754                8.0207                0.8000 
d25                        1.8000                3.6078                1.8000 
d27                      16.4767              13.9188                28.2903 
d31                      21.0881              38.7122                47.9484 
d33                      21.0290              39.9970                45.6290
（表６Ｂ：ズームレンズ群データ）
群      始面      焦点距離 
1         1        95.88508
2         7       -20.14088
3        15       26.92776
4        26      -46.47431
5        28     123.58272
（表６Ｃ：ズームレンズ群倍率）
群              始面           広角               中間                望遠
1                 1          0.00000          0.00000          0.00000
2                 7         -0.29422        -0.36123         -0.57293
3               15         -0.53357        -0.80232         -0.87983
4               26          2.09588          2.77542          3.61667
5               28          0.79269          0.65029          0.57543
（数値実施例３）
以下に、図７に示す実施の形態３に対応するズームレンズ系の数値実施例３を示す。具体的には、数値実施例３として、面データを（表７）、非球面データを（表８）、無限遠合焦状態での各種データを（表９Ａ）〜（表９Ｃ）に示す。
【０１８７】
（表７：面データ）
面番号             r                       d                        nd                   vd 
物面                ∞
1        1004.63550          1.70000              1.92286            20.9
2          183.62200          0.00500              1.56732            42.8
3          183.62200          4.75000             1.69680            55.5
4         -383.63440          0.20000
5            58.86300          5.50000             1.72916            54.7
6          178.89860           可変 
7            91.57430          1.20000             1.80420            46.5
8            16.35910        10.33000 
9*         -33.54290          1.20000             1.80998            40.9
10*      -306.91010          0.45000 
11         142.12350          3.59000             1.92119            24.0
12          -38.69550          2.22000 
13          -21.53810          0.80000             1.77250            49.6
14          -40.87560           可変 
15(絞り)           ∞               1.20000 
16*          24.93270          4.71000             1.68948            31.0
17*        508.06520          0.70000 
18            23.31940          0.80000             1.90043            37.4
19            14.93240          0.00500             1.56732            42.8
20            14.93240          4.24000             1.49700            81.6
21            30.84710          2.80000
22          102.30240          0.80000             1.84666            23.8
23            22.13730          0.00500             1.56732            42.8
24            22.13730          5.04000             1.43700            95.1
25           -71.94940          0.50000 
26*          37.81550          5.00000             1.55332            71.7
27*         -43.56910          可変 
28*         -37.84710          1.70000             1.55332            71.7
29*        122.05780          可変
30         -158.87050          1.00000             1.49700            81.6
31          194.40880          0.20000 
32            66.10340          4.30000             1.80420            46.5
33         -246.57380          可変
34            78.20370           1.99000             1.77250            49.6
35            47.85280         25.84580 
36               ∞                    2.10000             1.51680            64.2
37               ∞                    2.70000 
像面             ∞ 
（表８：非球面データ）
非球面データ
第9面
K= 0.00000E+00, A4= 2.32315E-05, A6=-3.37863E-07, A8= 2.18933E-09 
A10=-7.01934E-12, A12= 7.60236E-15 
第10面
K= 0.00000E+00, A4= 1.15681E-05, A6=-3.58452E-07, A8= 2.28866E-09 
A10=-7.58087E-12, A12= 6.85474E-15 
第16面
K= 0.00000E+00, A4=-1.04771E-06, A6= 7.04803E-09, A8=-7.58732E-10 
A10= 6.81334E-12, A12=-2.20565E-14 
第17面
K= 0.00000E+00, A4= 8.63991E-06, A6=-8.49560E-09, A8=-6.46958E-10 
A10= 6.39102E-12, A12=-2.20979E-14 
第26面
K= 0.00000E+00, A4= 3.03249E-06, A6=-1.33006E-07, A8= 1.28235E-09 
A10=-5.92143E-12, A12= 1.92132E-14 
第27面
K= 0.00000E+00, A4= 1.41749E-05, A6=-1.59357E-07, A8= 1.77776E-09 
A10=-9.66265E-12, A12= 2.96529E-14 
第28面
K= 0.00000E+00, A4= 1.91657E-04, A6=-1.98650E-06, A8= 1.65439E-08 
A10=-9.21681E-11, A12= 2.35813E-13 
第29面
K= 0.00000E+00, A4= 1.87235E-04, A6=-1.74227E-06, A8= 1.29550E-08 
A10=-6.67221E-11, A12= 1.63826E-13
（無限遠合焦状態での各種データ）
（表９Ａ：各種データ）
ズーム比     4.02226
広角                    中間                     望遠
焦点距離               25.0079               50.1546             100.5881
Ｆナンバー            4.12001               4.12005                4.11995
画角                    40.7564               22.7345                11.8347
像高                    19.6000               21.6330                21.6330
レンズ全長          136.5005             145.0060             183.0009
絞り半径CIR         7.3100                 9.0270               10.8600
d6                          0.7000               12.5433              35.3270 
d14                      26.6697                 7.4430                0.8000 
d27                        1.8000                 4.0173                1.8000 
d29                      10.4500               10.7717               28.8883 
d33                        0.7000               14.0499               20.0048
（表９Ｂ：ズームレンズ群データ）
群      始面      焦点距離 
1         1       100.05399
2         7        -20.08381
3        15        26.66326
4        28       -52.01387
5        30      102.70855
6        34     -164.30676
（表９Ｃ：ズームレンズ群倍率）
群              始面           広角               中間                望遠
1                 1          0.00000          0.00000         0.00000
2                 7         -0.27642        -0.33025         -0.52809
3                15        -0.53591        -0.84357         -0.92138
4                28         1.99350          2.58700         3.28915
5                30         0.72786          0.59833         0.54039
6                34         1.16285          1.16247         1.16244
（条件の対応値）
以上のように、実施の形態１から実施の形態３に係るズームレンズ系について、数値実施例１から数値実施例３で、具体的に実施した。
【０１８８】
以下に、各数値実施例における上記条件（１）〜条件（５）に対応する値を（表１０）に示す。
【０１８９】
（表１０：条件の対応値）
【０１９０】
【表１】
2020118738.tif 000004
（表１０）に示すように、数値実施例１から数値実施例３で実施したズームレンズ系は、上記各条件（１）から条件（５）を満たすことがわかる。
【０１９１】
これにより、小型で、全ズーム範囲で開放Ｆ値が４．１５以下と明るく、結像性能に優れたズームレンズ系およびそれを備える撮像装置やカメラシステムを実現できる。
【０１９２】
なお、上述の実施の形態は、本開示における技術を例示するためのものであるから、請求の範囲またはその均等の範囲において種々の変更、置き換え、付加、省略などを行うことができる。
【産業上の利用可能性】
【０１９３】
本開示に係るズームレンズ系は、デジタルスチルカメラ、交換レンズ式デジタルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラなどに適用可能である。特に、本開示は、デジタルスチルカメラシステム、デジタルビデオカメラシステムなどの高画質が要求されるズームレンズ系に好適である。
【符号の説明】
【０１９４】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ａ      開口絞り
Ｐ      平行平板
Ｓ      像面
１００  撮像装置
１０１  ズームレンズ系
１０２  撮像素子
１０４  筐体
２００  カメラシステム
２０１  カメラ本体
２０２  撮像素子
２０３  モニタ
２０４  カメラマウント部
２０５  ファインダ
３００  交換レンズ装置
３０２  鏡筒
３０４  レンズマウント部
【図１】
2020118738.tif 000005
【図２】
2020118738.tif 000006
【図３Ａ】
2020118738.tif 000007
【図３Ｂ】
2020118738.tif 000008
【図３Ｃ】
2020118738.tif 000009
【図４】
2020118738.tif 000010
【図５】
2020118738.tif 000011
【図６Ａ】
2020118738.tif 000012
【図６Ｂ】
2020118738.tif 000013
【図６Ｃ】
2020118738.tif 000014
【図７】
2020118738.tif 000015
【図８】
2020118738.tif 000016
【図９Ａ】
2020118738.tif 000017
【図９Ｂ】
2020118738.tif 000018
【図９Ｃ】
2020118738.tif 000019
【図１０】
2020118738.tif 000020
【図１１】
2020118738.tif 000021